(57)【要約】【課題】  ＩＰ網を用いたノンリアルタイムな一斉放送での回線利用効率を高める。【解決手段】  ＩＰ放送・送信装置10は、一斉放送前に、一斉放送用の放送データをＦＴＰパケット化して、各ＩＰ放送・受信装置20ａ〜20ｃにアップロードし、各ＩＰ放送・受信装置20ａ〜20ｃは、この放送データを記憶する。ＩＰ放送・送信装置10は、各ＩＰ放送・受信装置20ａ〜20ｃに、アップロードした放送データの一斉放送開始時刻を知らせる。各ＩＰ放送・受信装置20ａ〜20ｃは、ＩＰ放送・送信装置10からの一斉放送の開始時刻情報に従って、先に記憶しておいた放送データを再生処理する。【選択図】  図１
2006166238.tif 000002
【特許請求の範囲】
【請求項１】
ＩＰ網に接続されている複数の拠点に対して、一斉放送用の放送データを送信するＩＰ放送・送信装置において、
データをパケット化して、前記ＩＰ網に出力する送信手段と、
一斉放送用の放送データを受け付ける放送データ入力手段と、
前記放送データ入力手段で受け付けた前記放送データを複数の前記拠点に一斉放送前にアップロードするため、前記送信手段に該放送データをパケット化させて、前記ＩＰ網に出力させるアップロード管理手段と、
複数の前記拠点にアップロードした前記放送データの一斉放送開始時刻を、複数の該拠点に知らせる情報を前記送信手段にパケット化させて、前記ＩＰ網に出力させる放送管理手段と、
を備えていることを特徴とするＩＰ放送・送信装置。
【請求項２】
請求項１に記載のＩＰ放送・送信装置において、
前記放送データ入力手段で受け付けた前記放送データが記憶される記憶手段を備え、
前記記憶手段には、繰り返して一斉放送される可能性が高い定型の放送データが記憶される定型データ記憶領域と、繰り返して一斉放送される可能性が低い非定型の放送データが記憶される非定型データ領域と、を有し、
前記アップロード管理手段は、前記定型の放送データをアップロードする際には、前記送信手段に該定型の放送データと共に、該放送データが定型である旨の情報をパケット化させて、前記ＩＰ網に出力させ、前記非定型の放送データをアップロードする際には、前記送信手段に該非定型の放送データと共に、該放送データが非定型である旨の情報をパケット化させて、前記ＩＰ網に出力させる、
ことを特徴とするＩＰ放送・送信装置
【請求項３】
請求項１及び２のいずれか一項に記載のＩＰ放送・送信装置において、
前記送信手段は、ＦＴＰ（File  Transfer  Protocol）に従って前記放送データを前記ＩＰ網に出力する、
ことを特徴とするＩＰ放送・送信装置。
【請求項４】
請求項１及び２のいずれか一項に記載のＩＰ放送・送信装置において、
前記送信手段は、ＲＴＰ（Real−time  Transfer  Protocol）に従って前記放送データを前記ＩＰ網に出力する、
ことを特徴とするＩＰ放送・送信装置。
【請求項５】
請求項４に記載のＩＰ放送・送信装置において、
前記アップロード管理手段及び前記放送管理手段が外部からリアルタイム一斉放送の指示を受け付け、前記放送データ入力手段が一斉放送用の放送データを受け付けると、該アップロード管理手段は、該放送データ入力手段が受け付けた該放送データを直ちに前記放送送信手段にパケット化させて、前記ＩＰ網に出力させ、該放送管理手段は、直ちに該放送データの放送を開始する旨の情報を前記放送手段にパケット化させ、前記ＩＰ網に出力させる、
ことを特徴とするＩＰ放送・送信装置。
【請求項６】
ＩＰ網を介して、送信拠点から送信されてくる放送データを受信するＩＰ放送・受信装置において、
前記ＩＰ網からのパケットを受信して、該パケットを分解する受信手段と、
前記受信手段で受信された一斉放送用の放送データが記憶される記憶手段と、
一斉放送前に、前記送信拠点からアップロードされた前記放送データを前記記憶手段に記憶すると共に、該記憶手段に記憶された該放送データを出力する記憶制御手段と、
前記放送拠点からアップロードされた前記放送データの一斉放送の開始時刻の情報を、該送信拠点から前記受信手段を介して受け付け、該一斉放送の開始時刻の情報に従って、前記記憶制御手段に前記放送データを出力させる放送管理手段と、
を備えていることを特徴とするＩＰ放送・受信装置。
【請求項７】
請求項６に記載のＩＰ放送・受信装置において、
前記記憶手段には、繰り返して一斉放送される可能性が高い定型の放送データが記憶され、データ不揮発性の記憶領域である定型データ記憶領域と、繰り返して一斉放送される可能性が低い非定型の放送データが記憶される非定型データ領域と、を有し、
前記記憶制御手段は、前記送信拠点から前記定型の放送データがアップロードされてきた際には、前記記憶手段の定型データ記憶領域に該定型の放送データを記憶し、前記送信拠点から前記非定型の放送データがアップロードされてきた際には、前記記憶手段の非定型データ記憶領域に該非定型の放送データを記憶する、
ことを特徴とするＩＰ放送・受信装置
【請求項８】
請求項６及び７のいずれか一項に記載のＩＰ放送・受信装置において、
前記受信手段は、ＦＴＰ（File  Transfer  Protocol）に従って前記放送データを前記ＩＰ網から受信する、
ことを特徴とするＩＰ放送・受信装置。
【請求項９】
請求項１から５のいずれか一項に記載のＩＰ放送・送信装置と、
請求項６から８のいずれか一項に記載の１以上のＩＰ放送・受信装置と、
を備え、
前記ＩＰ放送・送信装置と１以上の前記ＩＰ放送・受信装置とは、前記ＩＰ網を介して接続されている、
ことを特徴とするＩＰ放送システム。
【請求項１０】
請求項９に記載のＩＰ放送システムにおいて、
前記ＩＰ網に接続され、前記ＩＰ放送・送信装置の送信状況及び前記ＩＰ放送・受信装置の受信状況を少なくとも監視する網監視装置を備えている、
ことを特徴とするＩＰ放送システム。
【請求項１１】
ＩＰ放送・送信装置と、該ＩＰ放送・送信装置とＩＰ網を介して接続されている１以上のＩＰ放送・受信装置と、を備えているＩＰ放送システムでのＩＰ放送方法において、
前記ＩＰ放送・送信装置では、
一斉放送前に、該一斉放送用の放送データを１以上の前記ＩＰ放送・受信装置にアップロードするアップロード工程と、
１以上の前記ＩＰ放送・受信装置にアップロードした前記放送データの一斉放送開始時刻を、１以上の該ＩＰ放送・受信装置に知られる放送管理工程と、
を実行し、
前記ＩＰ放送・受信装置では、
一斉放送前に、前記ＩＰ放送・送信装置からアップロードされた前記放送データを記憶手段に記憶する放送データ記憶工程と、
前記ＩＰ放送・送信装置から前記放送データの一斉放送の開始時刻の情報を受け付ける管理情報受付工程と、
前記管理情報受付工程で受け付けた前記一斉放送の開始時刻の情報に従って、前記記憶手段に記憶された前記放送データを出力させる放送管理工程と、
を実行する、
ことを特徴とするＩＰ放送方法。
【発明の詳細な説明】
【技術分野】
【０００１】
本発明は、ＩＰ網に接続されている複数の受信拠点に対して、一斉放送用の放送データを送信するＩＰ放送・送信装置、このＩＰ放送・送信装置からの放送データを受け付けるＩＰ放送・受信装置、これらの装置を備えているＩＰ放送システム、及びこのＩＰ放送システムにおけるＩＰ放送方法に関する。
【背景技術】
【０００２】
従来のＩＰ放送システムとしては、例えば、以下の特許文献１に記載されているものがある。
【０００３】
このＩＰ放送システムでは、ＩＰ網を介して、ＩＰ放送・送信装置からＲＴＰ（Real−time Transfer Protocol）パケット化された音声データをユニキャストで、複数の受信拠点に設置されているＩＰ放送・受信装置に送り、各受信拠点の受信装置で放送データをリアルタイムに一斉放送している。
【０００４】
【特許文献１】特開2004−241994号公報
【発明の開示】
【発明が解決しようとする課題】
【０００５】
しかしながら、特許文献１に記載の技術は、リアルタイムな一斉放送には適しているものの、例えば、予め録音されている時刻を知らせるための放送データ等の一斉放送等、ノンリアルタイムな一斉放送を行う場合にも、複数の受信拠点に対して、ＲＴＰパケット化された音声データをユニキャストで送信することになるため、各受信拠点毎に、放送データを送信する回線帯域を同一時間帯で確保する必要性があり、回線帯域の利用効率が極めて悪くなってしまうという問題点がある。
【０００６】
本発明は、このような従来の問題点に着目してなされたもので、ノンリアルタイムな一斉放送を行う場合、回線帯域の利用効率を高めることができるＩＰ放送システム、このＩＰ放送システムを構成するＩＰ放送・送信装置及びＩＰ放送・受信装置、さらにＩＰ放送システムでのＩＰ放送方法を提供することを目的とする。
【課題を解決するための手段】
【０００７】
前記問題点を解決するためのＩＰ放送・送信装置に係る発明は、
ＩＰ網に接続されている複数の拠点に対して、一斉放送用の放送データを送信するＩＰ放送・送信装置において、
データをパケット化して、前記ＩＰ網に出力する送信手段と、一斉放送用の放送データを受け付ける放送データ入力手段と、前記放送データ入力手段で受け付けた前記放送データを複数の前記拠点に一斉放送前にアップロードするため、前記送信手段に該放送データをパケット化させて、前記ＩＰ網に出力させるアップロード管理手段と、複数の前記拠点にアップロードした前記放送データの一斉放送開始時刻を、複数の該拠点に知らせる情報を前記送信手段にパケット化させて、前記ＩＰ網に出力させる放送管理手段と、を備えていることを特徴とする。
【０００８】
前記問題点を解決するためのＩＰ放送・受信装置に係る発明は、
ＩＰ網を介して、送信拠点から送信されてくる放送データを受信するＩＰ放送・受信装置において、
前記ＩＰ網からのパケットを受信して、該パケットを分解する受信手段と、前記受信手段で受信された一斉放送用の放送データが記憶される記憶手段と、一斉放送前に、前記送信拠点からアップロードされた前記放送データを前記記憶手段に記憶すると共に、該記憶手段に記憶された該放送データを出力する記憶制御手段と、前記放送拠点からアップロードされた前記放送データの一斉放送の開始時刻の情報を、該送信拠点から前記受信手段を介して受け付け、該一斉放送の開始時刻の情報に従って、前記記憶制御手段に前記放送データを出力させる放送管理手段と、を備えていることを特徴とする。
【０００９】
前記問題点を解決するためのＩＰ放送システムに係る発明は、
前記ＩＰ放送・送信装置と、1以上の前記ＩＰ放送・受信装置とを備えていることを特徴とする。
【００１０】
前記問題点を解決するためのＩＰ放送方法に係る発明は、
ＩＰ放送・送信装置と、該ＩＰ放送・送信装置とＩＰ網を介して接続されている１以上のＩＰ放送・受信装置と、を備えているＩＰ放送システムでのＩＰ放送方法において、
前記ＩＰ放送・送信装置では、一斉放送前に、該一斉放送用の放送データを１以上の前記ＩＰ放送・受信装置にアップロードするアップロード工程と、１以上の前記ＩＰ放送・受信装置にアップロードした前記放送データの一斉放送開始時刻を、１以上の該ＩＰ放送・受信装置に知られる放送管理工程と、を実行し、
前記ＩＰ放送・受信装置では、一斉放送前に、前記ＩＰ放送・送信装置からアップロードされた前記放送データを記憶手段に記憶する放送データ記憶工程と、前記ＩＰ放送・送信装置から前記放送データの一斉放送の開始時刻の情報を受け付ける管理情報受付工程と、前記管理情報受付工程で受け付けた前記一斉放送の開始時刻の情報に従って、前記記憶手段に記憶された前記放送データを出力させる放送管理工程と、を実行する、ことを特徴とする。
【発明の効果】
【００１１】
本発明によれば、一斉放送前に、ＩＰ放送・送信装置からＩＰ放送・受信装置へ放送データをアップロードしているので、ＩＰ網の回線利用効率を高めることができる。
【発明を実施するための最良の形態】
【００１２】
以下、本発明に係るＩＰ放送システムの一実施形態について、図面を用いて説明する。
【００１３】
本実施形態のＩＰ放送システムは、図１に示すように、ＩＰ網１を介して、一斉放送用の放送データの送信拠点と、この放送データの複数の受信拠点Ａ，Ｂ，Ｃと、放送データ等の送受信を監視する監視拠点とがある。
【００１４】
送信拠点には、一斉放送用の放送データをＩＰパケット化して出力するＩＰ放送・送信装置10と、このＩＰ放送・送信装置10とＩＰ網１とを接続するルータ2と、ＩＰ放送・送信装置10の各種データ等の設定や保守等を行う管理コンピュータ6が設けられている。複数の受信拠点Ａ，Ｂ，Ｃのそれぞれには、ＩＰパケット化された放送データを受信するＩＰ放送・受信装置20ａ，20ｂ，20ｃと、このＩＰ放送・受信装置20ａ，20ｂ，20ｃとＩＰ網1と接続するルータ2，2，2と、音声データである放送データを出力するスピーカ4とが設けられている。なお、複数の受信拠点Ａ，Ｂ，Ｃのうち、一の受信拠点Ａには、複数のスピーカ4のうちのいずれを使用するかを定めるスピーカ選択回路やアンプ等を有している再生処理装置3が設けられており、他の受信拠点Ｂ，Ｃには、この再生処理装置3が設けられておらず、この再生処理装置3の機能が組み込まれているＩＰ放送・受信装置20ｂ，20ｃを用いている。監視拠点には、送信拠点や複数の受信拠点での各装置の送受信状況等を監視する網監視装置5と、この網監視装置5とＩＰ網１とを接続するルータ2とが設けられている。
【００１５】
送信拠点のＩＰ放送・送信装置10は、図２に示すように、放送データである音声データを受け入れる音声入力部19と、この音声データに対して圧縮処理等のディジタル処理を施す音声ディジタル処理部18と、音声データが格納される音声ファイル13と、この音声ファイル13への音声データの入出力を制御する音声ファイル制御部14と、この音声ファイル制御部14に対して音声データの入出力の指示及び放送管理情報の出力等を行う一斉放送管理部16と、ＩＰパケットに組み込むＦＴＰ（File  Transfer  Protocol）パケットの生成／分解等を行うＴＣＰ／ＩＰプロトコル部12と、ＩＰ網1とルータ2を介して接続されＩＰパケットの生成／分解等を行うＩＰ制御部11と、管理コンピュータ6との間のインタフェースであるＭＭＩ（Man  Machine  Interface）部17と、このＩＰ放送・送信装置10の送受信状況等を監視して、ＳＮＭＰ（Simple  Network  Management  Protocol）マネージャーである網監視装置5へ監視結果をＴＲＡＰ送信するＳＮＭＰエージェント部15と、を備えている。
【００１６】
このＩＰ放送・送信装置10の音声入力部18には、例えば、集音器からの音声データや音声再生装置からの音声データ等が入力する。音声ファイル13は、この実施形態では、ハードディスク装置のディスク上に確保された記憶領域で、この領域には、繰り返して一斉放送される可能性が高い定型の放送データが記憶され定型データ記憶領域13ａと、繰り返して一斉放送される可能性が低い非定型の放送データが記憶される非定型データ領域13ｂとがある。定型放送データとしては、例えば、時刻を知らせる放送データ、銀行に設置されているＡＴＭの定時停止の案内放送データ等が考えられる。また、非定型放送データとしては、ＡＴＭが故障した場合の復旧見込みの案内放送データ等が考えられる。
【００１７】
一斉放送管理部16が扱う放送管理情報としては、放送開始／停止指示、音声ファイルの領域指定、放送系統の指定、放送ポート（この実施形態ではスピーカ4）の指定、放送データの再生回数の指定、放送開始指示の送信タイミング、放送データの送信タイミング等がある。これらの放送管理情報は、いずれも、管理コンピュータ6からＭＭＩ部17を介して、この一斉放送管理部16に入力される。
【００１８】
複数の受信拠点Ｂ，ＣのＩＰ放送・受信装置20ｂ，20ｃは、図３に示すように、ＩＰ網1とルータ2を介して接続されＩＰパケットの生成／分解等を行うＩＰ制御部21と、ＩＰパケットに組み込む又は組み込まれていたＦＴＰ（File  Transfer  Protocol）パケットの生成／分解等を行うＴＣＰ／ＩＰプロトコル部12と、放送データである音声データが格納される音声データメモリ23と、この音声データメモリ23への音声データの入出力を制御する音声ファイル制御部24と、この音声ファイル制御部24に対して音声データの入出力の指示等を行う一斉放送管理部26と、音声データに対して伸長処理等のディジタル処理を施す音声ディジタル処理部28と、音声ディジタル処理部28からの音声データを増幅等する音声出力処理部29と、管理コンピュータ7との間のインタフェースであるＭＭＩ部27と、このＩＰ放送・受信装置20ｂ，20ｃの送受信状況等を監視して、ＳＮＭＰ（Simple  Network  Management  Protocol）マネージャーである網監視装置5へ監視結果をＴＲＡＰ送信するＳＮＭＰエージェント部25と、を備えている。なお、受信拠点ＡのＩＰ放送・受信装置20ａは、以上で説明した各部のうち、音声出力処理部29以外を備え、この音声出力処理部29の代りに前述したように、再生処理装置３が接続されている。
【００１９】
音声データメモリ23としては、定型放送データが格納される不揮発性の定型用メモリ13ａと、非定型放送データが格納される揮発性の非定型用メモリ13ｂとがある。定型放送データを格納するメモリとして不揮発性のメモリを用いているのは、停電等により放送データの紛失を防ぎ、送信拠点からの定型放送データのアップロードの回数を減らすため、さらに復電後にすぐに一斉放送を行えるようにするためである。一方、非定型放送データは、定型放送データのように繰り返して放送される可能性が極めて低く、緊急時等に一回のみ放送されることを前提としたデータであるため、この非定型放送データを格納するメモリとして揮発性のメモリを用いても、基本的に障害がないからである。なお、ここでは、放送データの記憶装置として、メモリを用いているが、この代りに、ハードディスク装置等の他の記憶装置を用いてもよい。
【００２０】
なお、以上の実施形態において、ＩＰ放送・送信装置10の送信手段は、ＴＣＰ／ＩＰプロトコル部12及びＩＰ制御部11を有して構成され、ＩＰ放送・受信装置20ａ〜20ｃの受信手段は、ＴＣＰ／ＩＰプロトコル部22及びＩＰ制御部21を有して構成される。
【００２１】
次に、ＩＰ放送システムの動作について説明する。
【００２２】
送信拠点では、まず、管理コンピュータ6からＩＰ放送・送信装置10に、放送データの放送管理情報を入力する。この放送管理情報は、ＭＭＩ部17を介して一斉放送管理部17に入力される。放送管理情報の入力が終了すると、この放送管理情報に対応する放送データ、ここでは音声データを入力する。この音声データは、ＩＰ放送・送信装置10の音声入力部19で受け付けられ、音声ディジタル処理部18で圧縮処理等されて、音声ファイル制御部14に渡される。音声ファイル制御部17は、この音声データを音声ファイル13に格納する。この際、音声ファイル制御部17は、一斉放送管理部16からの指示、具体的には、前述の放送管理情報に含まれている音声データのデータ名や、定型放送データであるか非定型放送データであるか等の情報に従って、音声ファイル13の所定の記憶領域に、この音声データを格納する。
【００２３】
次に、放送データのアップロード時の動作について、図４に示すシーケンス図に従って説明する。
【００２４】
ＩＰ放送・送信装置10の一斉放送管理部17は、先に受け付けた放送管理情報に含まれている放送データのアップロードタイミングになると（Ｓ1）、この放送データのデータ名（又はディレクトリ名等）や定型／非定型の種類と共にこの放送データのアップロードを開始する旨の情報をＴＣＰ／ＩＰプロトコル部12に渡すと共に、音声ファイル制御部14に対して、このデータ名の音声データを読み出すように指示する。ＴＣＰ／ＩＰプロトコル部12は、アップロード開始の旨の情報を受けとると、このＩＰ放送・送信装置10と各ＩＰ放送・受信装置20ａ〜20ｃとの間での通信セッションを形成した後、アップロード開始メッセージをＦＴＰパケット化して、各ＩＰ放送・受信装置20ａ〜20ｃへ、一斉に、つまりパラレルにアップロード開始メッセージを送信する（Ｓ2）。
【００２５】
各ＩＰ放送・受信装置20ａ〜20ｃは、このアップロード開始メッセージを受信すると、一斉放送管理部26はこのアップロード開始メッセージを取得する。このアップロード開始メッセージの中には、これからアップロードする放送データのデータ名や定型／非定型の種類の情報等が含まれている。なお、ここでは、放送管理情報に含まれている放送データのアップロードタイミングになると、アップロード開始メッセージを送信するようにしているが、放送管理情報にアップロード開始タイミングを含めず、管理コンピュータ6からアップロード開始の指示が入力されると、アップロード開始メッセージを送信するようにしてもよい。
【００２６】
続いて、ＩＰ放送・送信装置10の音声ファイル制御部14は、一斉放送管理部17からの指示に従って、対応データ名の音声データを音声ファイル13から読み出し、これをＴＣＰ／ＩＰプロトコル部12に渡す。ＴＣＰ／ＩＰプロトコル部12は、この音声データを受け取ると、この音声データをＦＴＰパケット化して、各ＩＰ放送・受信装置20ａ〜20ｃへ、一斉に、つまりパラレルに送信する（Ｓ3）。
【００２７】
各ＩＰ放送・受信装置20ａ〜20ｃは、この音声データを受信すると、音声ファイル制御部24は、この音声データを音声データメモリ23に格納する（Ｓ4）。この際、音声ファイル制御部24は、一斉放送管理部26からの指示、具体的には、アップロード開始メッセージに含まれているデータ名や、定型／非定型の種類等の情報に従って、音声データメモリ23の所定の記憶領域に、この音声データを格納する。
【００２８】
各ＩＰ放送・受信装置20ａ〜20ｃの音声ファイル制御部24は、音声データの格納が終了すると、その旨を一斉放送管理部26に知らせる。この知らせを受けた一斉放送管理部26は、格納した音声データのデータ名（又はディレクトリ名等）と共にこの音声データのアップロードが終了した旨の情報をＴＣＰ／ＩＰプロトコル部22に渡す。ＴＣＰ／ＩＰプロトコル部22は、アップロード終了の旨の情報を受けとると、アップロード終了メッセージをＦＴＰパケット化して、ＩＰ放送・送信装置10へ送信する（Ｓ5）。
【００２９】
ＩＰ放送・送信装置10は、各ＩＰ放送・受信装置20ａ〜20ｃからのアップロード終了メッセージを受信すると、一斉放送管理部16はこのアップロード終了メッセージを取得し、アップロードの終了を認識する（Ｓ6）。仮に、複数のＩＰ放送・受信装置20ａ〜20ｃのうちのいずれかからアップロード終了メッセージが送られてこなかった場合には、一斉放送管理部16は、そのＩＰ放送・受信装置に対して、再度、以上のＳ2，Ｓ3の処理を繰り返すとよい。なお、このような処理を行っても特定のＩＰ放送・受信装置からのアップロード終了メッセージを受信できない場合には、ＳＮＭＰエージェント部15がこれを察知し、この状況を網監視装置5へ伝える。
【００３０】
次に、放送データの一斉放送時の動作について、図５に示すシーケンス図に従って説明する。
【００３１】
ＩＰ放送・送信装置10の一斉放送管理部17は、先に受け付けた放送管理情報に含まれている放送データの一斉放送開始前になると（Ｓ11）、この放送データのデータ名（又はディレクトリ名等）や一斉放送開始時刻等の情報をＴＣＰ／ＩＰプロトコル部12に渡す。ＴＣＰ／ＩＰプロトコル部12は、この情報を受けとると、このＩＰ放送・送信装置10と各ＩＰ放送・受信装置20ａ〜20ｃとの間での通信セッションを形成した後、一斉放送開始メッセージをパケット化して、各ＩＰ放送・受信装置20ａ〜20ｃへこの一斉放送開始始メッセージを送信する（Ｓ12）。
【００３２】
各ＩＰ放送・受信装置20ａ〜20ｃは、この一斉放送開始メッセージを受信すると、一斉放送管理部26はこの一斉放送開始メッセージを取得する。この一斉放送開始メッセージの中には、前述したように、これから放送する放送データのデータ名や一斉放送開始時刻の他に、放送系統の指定、放送ポートの指定、放送データの再生回数の指定等の情報も含まれている。なお、ここでは、前述した放送データのアップロードの後に、一斉放送開始メッセージを送信しているが、前述のアップロード開始メッセージの中に、この一斉放送開始メッセージの情報を含め、この一斉放送開始メッセージを送信しないようにしてもよい。また、放送管理情報に一斉放送開始時刻を含めず、管理コンピュータ6から一斉放送開始の指示が入力されると、一斉放送開始メッセージを送信するようにしてもよい。この場合、各ＩＰ放送・受信装置20ａ〜20ｃがこの一斉放送開始メッセージを受信した時が、一斉放送開始時刻となる。
【００３３】
受信拠点Ｂ，Ｃに設置されているＩＰ放送・受信装置20ｂ，20ｃの一斉放送管理部26は、一斉放送開始メッセージに含まれていた一斉放送開始時刻になると、音声ファイル制御部24に対して、一斉放送開始メッセージに含まれていたデータ名の音声データの読み取りを指示する。音声ファイル制御部24は、この指示を受けると、音声データメモリ23に格納されているデータのうちから、指示されたデータ名に対応する音声データを読み出し、これを音声ディジタル処理部28に渡すと共に、一斉放送管理部26に対して一斉放送を開始した旨の情報を渡す。一斉放送管理部26は、この情報を受け取ると、この情報をＴＣＰ／ＩＰプロトコル部22に渡し、ＩＰ放送・送信装置10へ放送開始完了メッセージを送信させる（Ｓ15）。
【００３４】
ＩＰ放送・送信装置10は、放送開始完了メッセージを受信すると、一斉放送管理部26がこれを認識する（Ｓ16）。この際、このＩＰ放送・送信装置10に、放送中表示ランプ等がある場合には、この表示ランプを点灯させる。
【００３５】
受信拠点Ｂ，Ｃに設置されているＩＰ放送・受信装置20ｂ，20ｃの音声ディジタル処理部28は、音声データを受け取ると、これを伸長処理して、音声出力処理部29で音声データに対応した音声信号を増幅させ、スピーカ4から音声を出力させる（Ｓ17）。
【００３６】
一方、受信拠点ＡのＩＰ放送・受信装置20ａには、再生処理装置3が接続されているため、このＩＰ放送・受信装置20ａの一斉放送管理部26は、一斉放送開始時刻になると、音声ファイル制御部24に対して、一斉放送開始メッセージに含まれていたデータ名の音声データの読み取りを指示すると共に、この再生処理装置3に対して放送開始メッセージを送信し（Ｓ13）、再生処理装置3に放送開始の準備をさせる。この放送開始メッセージには、ＩＰ放送・送信装置10から送られてきた一斉放送開始メッセージに含まれていた、放送系統の指定、放送ポートの指定等の情報が含まれている。この再生処理装置3は、ＩＰ放送・受信装置20ａから音声データが送られてくると、このＩＰ放送・受信装置20ａに対して、放送開始完了メッセージを送り（Ｓ14）、このＩＰ放送・受信装置20ａからＩＰ放送・送信装置10へ放送開始完了メッセージを送信させる（Ｓ15）。
【００３７】
受信拠点Ａの再生処理装置3は、ＩＰ放送・受信装置20ａから音声データを受け取ると、これを増幅して、先に送られてきた放送開始メッセージに含まれていた放送系統の指定や、放送ポートの指定等の情報に従って、対応するスピーカ4に増幅した音声信号を送って、スピーカ４に音声を出力させる（Ｓ18）。
【００３８】
ＩＰ放送・送信装置10の一斉放送管理部17は、先に受け付けた放送管理情報に含まれている放送データの放送終了時刻になると（Ｓ19）、放送停止の情報をＴＣＰ／ＩＰプロトコル部12に渡し、各ＩＰ放送・受信装置20ａ〜20ｃに対して、放送停止メッセージを送信させる（Ｓ20）。
【００３９】
各ＩＰ放送・受信装置20ａ〜20ｃは、この放送停止メッセージを受信すると、一斉放送管理部28がこれを認識する。受信拠点Ｂ，Ｃの一斉放送管理部28は、放送停止メッセージを受け取ると、音声ファイル制御部24に対して、音声データメモリ23中に対応データ名の音声データが残っている、残っていないに関わらず、この音声データの読み出し終了を指示し、音声データの読み出しを終了させると共に（Ｓ22）、ＴＣＰ／ＩＰプロトコル部22からＩＰ放送・送信装置10へ放送停止完了メッセージを送信させる（Ｓ24）。
【００４０】
一方、受信拠点Ａに設置されているＩＰ放送・受信装置20ａの一斉放送管理部28は、放送停止メッセージを受け取ると、再生処理装置3へ放送停止メッセージを送信すると共に（S21）、音声ファイル制御部24に対して、音声データの読み出し終了を指示し、音声データの読み出しを終了させる（Ｓ22）。再生処理装置3は、放送終了メッセージの受信後、音声データが受信できなくなると、ＩＰ放送・受信装置20ａに放送停止完了メッセージを送り（Ｓ23）、このＩＰ放送・受信装置20ａからＩＰ放送・送信装置10へ放送停止完了メッセージを送信させる（Ｓ24）。
【００４１】
ＩＰ放送・送信装置10は、各ＩＰ放送・受信装置20ａ〜20ｃからの放送停止完了メッセージを受信すると、一斉放送管理部16はこの放送停止完了を認識する（Ｓ25）。この際、このＩＰ放送・送信装置10に、放送中表示ランプ等がある場合には、この表示ランプを消灯させる。
【００４２】
なお、放送管理情報中の情報として、再生回数が複数回設定されている場合には、図6（ａ）に示すように、各ＩＰ放送・受信装置20ａ〜20ｃの音声ファイル制御部24は、一斉放送管理部26の指示に従って、音声データを複数回読み出し、放送終了メッセージの受信を待たずに、音声データの読み出し回数が終了した時点で、音声データの読み出しを終了する。一方、放送管理情報中の情報として、再生回数が無限回設定されている場合には、図6（ｂ）に示すように、各ＩＰ放送・受信装置20ａ〜20ｃの音声ファイル制御部24は、一斉放送管理部26の指示に従って、放送終了メッセージを受信するまで、無限回、音声データを読み出す。
【００４３】
以上のように、本実施形態では、一斉放送開始前に、放送データをＦＴＰパケットで送信しているため、従来技術のように、一斉放送開始時に、放送データをＲＴＰパケットで送信するよりも遥かに、回線帯域の利用率を低める、言い換えると回線帯域の利用効率を高めることができる。
【００４４】
なお、以上の実施形態では、放送データをＦＴＰパケットで送信しているが、ＨＴＴＰ（hyper  Text Transfer  Protocol）パケットで送信してもよいし、ＲＴＰパケットで送信してよい。但し、ＲＴＰパケットで放送データを送信する場合、各ＩＰ放送・受信装置20ａ〜20ｃに一斉にＲＴＰパケット化された放送データを送信すると、従来技術と同様に、回線帯域の利用効率が悪化するので、各ＩＰ放送・受信装置20ａ〜20ｃへの放送データの送信は、各ＩＰ放送・受信装置20ａ〜20ｃ毎に、送信タイミングをズラことで、回線帯域の利用効率を高めることができる。すなわち、一斉放送であっても、その放送データを一斉放送開始前に送信することで、回線帯域の利用効率を高めることが可能になる。
【００４５】
また、ＲＴＰパケットで放送データを送信する場合、以上の実施形態のようなノンリアルタイムな一斉放送と共に、リアルタイムな一斉放送も可能になる。このリアルタイムな一斉放送を行う場合には、ＩＰ放送・送信装置10の一斉放送管理部16が、管理コンピュータ6からリアルタイム一斉放送の指示を受け付けた後、音声入力部19が一斉放送用の放送データを受け付けると、一斉放送管理部16は、音声入力部19が受け付けた放送データを直ちに、ＴＣＰ／ＩＰプロトコル部12でＲＴＰパケット化させると共に、一斉放送開始メッセージをＲＴＰパケット化して、これらを各ＩＰ放送・受信装置20ａ〜20ｃへ送信するようにすればよい。
【００４６】
また、以上の実施形態は、放送データとして音声データを扱うものであるが、本発明はこれに限定されるものではなく、放送データとして映像データを扱ってもよいことは言うまでもない。
【図面の簡単な説明】
【００４７】
【図１】本発明に係る一実施形態におけるＩＰ放送システムの系統図である。
【図２】本発明に係る一実施形態におけるＩＰ放送・送信装置の機能ブロック図である。
【図３】本発明に係る一実施形態におけるＩＰ放送・受信装置の機能ブロック図である。
【図４】本発明に係る一実施形態におけるアップロード処理のシーケンス図である。
【図５】本発明に係る一実施形態における一斉放送開始処理のシーケンス図である。
【図６】本発明に係る一実施形態における音声再生処理の形態を示す説明図である。
【符号の説明】
【００４８】
１：ＩＰ網
２：ルータ
３：再生処理装置
４：スピーカ
５：網監視装置
６,７：管理コンピュータ
１０：ＩＰ放送・送信装置
１１,２１：ＩＰ制御部
１２，２２：ＴＣＰ／ＩＰプロトコル部
１３：音声ファイル
１３ａ：定型データ記憶領域
１３ｂ：非定型データ記憶領域
１４，２４：音声ファイル制御部
１６，２６：一斉放送管理部
１８，２８：音声ディジタル処理部
１９：音声入力部
２０ａ，２０ｂ，２０ｃ：ＩＰ放送・受信装置
２３：音声データメモリ
２３ａ：定型用メモリ
２３ｂ：非定型用メモリ
【図１】
2006166238.tif 000003
【図２】
2006166238.tif 000004
【図３】
2006166238.tif 000005
【図４】
2006166238.tif 000006
【図５】
2006166238.tif 000007
【図６】
2006166238.tif 000008